(57)【特許請求の範囲】
【請求項１】
記録媒体が格納されたカートリッジを着脱自在に収納するディスク装置であって、
開閉自在なシャッタを有するカートリッジを、挿入位置と再生位置との間で移動自在に保持するホルダと、
前記ホルダにより移動されるカートリッジの側面に当接する所定位置に配置され、カートリッジのシャッタに形成された溝と係合するための係合部を有する所定形状の弾性部材と、を備え、
前記ホルダは、挿入位置近傍に規定された特定区間にて前記弾性部材に摺接して前記弾性部材を変形させる傾斜部が形成され、該傾斜部により前記弾性部材の変形に伴う負荷を減少させてカートリッジと前記弾性部材とが当接しない間隔を確保するための逃がし部材を有し、
前記弾性部材は、特定区間を除いた挿入位置と再生位置との間を前記ホルダとともにカートリッジが移動したときに、カートリッジのシャッタと当接し、係合部がシャッタの溝と係合した状態で、前記ホルダの移動とともに、カートリッジのシャッタを開閉する、
ことを特徴とするディスク装置。
【請求項２】
記録媒体が格納されたカートリッジを着脱自在に収納するディスク装置であって、
開閉自在なシャッタを有するカートリッジを、挿入位置と再生位置との間で移動自在に保持し、傾斜部が形成されたリブを有するホルダと、
前記ホルダにより移動されるカートリッジの側面に当接する所定位置に配置され、カートリッジのシャッタに形成された溝と係合するための係合部を有する所定形状の弾性部材と、を備え、
前記ホルダは、挿入位置近傍に規定された特定区間にて、リブの傾斜部を前記弾性部材に摺接させて前記弾性部材を押圧し、前記傾斜部により押圧に伴う前記弾性部材の負荷を減少させてカートリッジと前記弾性部材とが当接しない間隔を確保し、
前記弾性部材は、特定区間を除いた挿入位置と再生位置との間を前記ホルダとともにカートリッジが移動したときに、カートリッジのシャッタと当接し、係合部がシャッタの溝と係合した状態で、前記ホルダの移動とともに、カートリッジのシャッタを開閉する、
ことを特徴とするディスク装置。
【請求項３】
前記ホルダは、カートリッジと接する一方の面にテーパ状のリブが形成され、
前記弾性部材は、前記ホルダのリブと当接したとき、前記ホルダの移動とともにテーパ形状に沿って摺動することにより、徐々に変形しながらカートリッジとの間隔を変化させる、
ことを特徴とする請求項２に記載のディスク装置。
【請求項４】
記録媒体が格納され、開閉自在なシャッタを有するカートリッジを着脱自在に収納するディスク装置であって、
少なくとも底板、上板、背板及び、傾斜部が形成された一方の側板から形成され、挿入位置と再生位置との間でカートリッジを移動自在に保持するホルダと、
前記ホルダにより移動されるカートリッジの側面に当接する所定位置に配置され、カートリッジのシャッタに形成された溝と係合するための係合部を有する所定形状の弾性部材と、を備え、
前記ホルダは、挿入位置近傍に規定された特定区間にて、側板の傾斜部を前記弾性部材に摺接させて前記弾性部材を押圧し、前記傾斜部により押圧に伴う前記弾性部材の負荷を減少させてカートリッジと前記弾性部材とが当接しない間隔を確保し、
前記弾性部材は、特定区間を除いた挿入位置と再生位置との間を前記ホルダとともにカートリッジが移動したときに、カートリッジのシャッタと当接し、係合部がシャッタの溝と係合した状態で、前記ホルダの移動とともに、カートリッジのシャッタを開閉する、
ことを特徴とするディスク装置。
【請求項５】
前記ホルダは、側板がテーパ形状に形成され、
前記弾性部材は、前記ホルダの側板と当接したとき、前記ホルダの移動とともにテーパ形状に沿って摺動することにより、徐々に変形しながらカートリッジとの間隔を変化させる、
ことを特徴とする請求項４に記載のディスク装置。
【発明の詳細な説明】
【０００１】
【発明の属する技術分野】
本発明は、ディスク装置に関する。
【０００２】
【従来の技術】
従来、ＭＤ（ミニディスク、Mini Disk）やＭＯ（光磁気ディスク、Magneto-Optical disk）等のディスクをカートリッジに収納した記録媒体は、開閉自在なシャッタを有している。シャッタは、通常は閉じられており、内部のディスクを保護し、塵埃のカートリッジ内部への侵入を防止している。これらの記録媒体を再生／記録するためのディスク装置は、挿入された記録媒体を、シャッタを開いた状態で、信号ピックアップ部とディスク駆動部とを有する再生／記録部に装着する。記録媒体は、内部に収納されたディスクの所定部分を露出し、信号ピックアップ部によりアクセスされる。
【０００３】
従来のディスク装置の概略構成を表す透視上面図を図６に示す。ディスク装置は、カートリッジ１０６を収納して、所定の位置まで移動するローディング機構を備えたディスクホルダ１０４と、再生／録音部１０２を具備し、ディスクホルダ１０４を収容するディスクシャーシ１０１とを備える。ディスクホルダ１０４にカートリッジ１０６を挿入すると、ホルダ駆動部１０５により、ディスクホルダ１０４は所定位置まで後退する（図６中では上方に移動する）。
【０００４】
ディスクホルダ１０４の移動中に、ディスクシャーシ１０１の側面に固定された板バネ１０３が、カートリッジ１０６のシャッタ部１０７に形成された係合溝１０８に係合する。シャッタ部１０７は、カートリッジ１０６に押し当てる方向の板バネ１０３の付勢力により、ディスクホルダ１０４がさらに移動すると、開放され（図６中で下方にスライドする）、内部に収納されているディスク１０９が露出する。カートリッジ１０６は、図示しないシャッタ部１０７内部の保持機構により、開放状態を維持して、ディスクシャーシ１０１の所定位置に装着される。したがって、再生／録音部１０２は、露出したディスク１０９の所定部分をアクセスすることができる。
【０００５】
シャッタ部１０７は、不用意な取り扱いで、開放しないように、所定のスライド荷重に耐える構造になっている。板バネ１０３は、カートリッジ１０６に押し当てる方向に、強く付勢して、所定のスライド荷重以上の荷重を、シャッタ部１０７に負荷できるように、ディスクシャーシ１０１の側面に取り付けられている。また、板バネ１０３は、シャッタ部１０７を完全に開放した後、ディスクホルダ１０４が所定の位置まで後退する間に、係合溝１０８から外れ、カートリッジ１０６の側面を摺動する。この摺動時に働く荷重により、擦れ合う両者が異音を発生したり、カートリッジ１０６が左右にぶれることがある。
【０００６】
これらの現象は、ディスク装置の故障の原因となると同時に、スムースな挿入ができないので、利用者の操作感を低下させるという不都合を招く。さらに、摺動時に働く荷重が大きくなるために、ホルダ駆動部１０５のモータにかかる負荷が増加し、モータが異音を発生したり、消費電力が大きくなることも問題である。
【０００７】
そこで、特開２０００−２７６８２１号公報には、図７に示すように、ディスクシャーシ１１１の上部に支持軸１１４を介して揺動可能に設けられた、ホルダ１１５の動作に連動する連動レバー１１２を有するシャッタ開閉機構が開示されている。カートリッジ１１７がホルダ１１５に挿入され、このホルダ１１５が所定位置に後退する（図７中で上方に移動する）まで、ホルダ１１５移動方向と平行な連動レバー１１２の側面が摺動軸１１６ａ、１１６ｂに当接しているので、連動レバー１１２に結合されているロック爪１１３は、カートリッジ１１７に接触しない（図７参照）。
【０００８】
さらに、ホルダ１１５が後退すると、連動レバー１１２は、図示しないスプリングで支持軸１１４の回りに反時計方向に付勢されているので、反時計回りに回転し、連動レバー１１２に結合されているロック爪１１３が、シャッタ部１１８の爪係合溝１１９に係合する。シャッタ部１１８は、連動レバー１１２の付勢力を受け、スライドして開放される。ホルダ１１５が後退を完了する位置で、シャッタ部１１８は完全に開放される。このとき、連動レバー１１２の側面は、摺動軸１１６ａ、１１６ｂとは当接せず、揺動自在な状態であるため、前述したように、スプリングの反時計回りの付勢力により、ロック爪１１３は爪係合溝１１９に係合した状態を保持する。
【０００９】
したがって、ロック爪１１３は、シャッタ部１１８を開閉するときのみ、爪係合溝１１９に係合し、それ以外のホルダ１１５位置では、反時計回りの回転が抑制され、カートリッジ１１７には接触しないので、前述した不都合は解消される。しかし、連動レバー１１２に当接する摺動軸１１６ａ、１１６ｂが摺動する摺動ガイド孔をディスクシャーシ１１１の上面に形成することを必要となる。さらに、揺動可能な連動レバ１１２にロック爪１１３を結合するので、従来の板バネと比較して形状が複雑になる。このように、シャッタ機構を構成する部品点数も増加し、機構的に複雑になるという欠点を有する。
【００１０】
【発明が解決しようとする課題】
本発明は、上記実状に鑑みてなされたもので、簡便な構造で、円滑に記録媒体を収納したカートリッジを挿脱できるディスク装置を提供することを目的とする。
【００１１】
【課題を解決するための手段】
上記目的を達成するため、本発明の第１の観点に係るディスク装置は、
記録媒体が格納されたカートリッジを着脱自在に収納するディスク装置であって、
開閉自在なシャッタを有するカートリッジを、挿入位置と再生位置との間で移動自在に保持するホルダと、
前記ホルダにより移動されるカートリッジの側面に当接する所定位置に配置され、カートリッジのシャッタに形成された溝と係合するための係合部を有する所定形状の弾性部材と、を備え、
前記ホルダは、挿入位置近傍に規定された特定区間にて前記弾性部材に摺接して前記弾性部材を変形させる傾斜部が形成され、該傾斜部により前記弾性部材の変形に伴う負荷を減少させてカートリッジと前記弾性部材とが当接しない間隔を確保するための逃がし部材を有し、
前記弾性部材は、特定区間を除いた挿入位置と再生位置との間を前記ホルダとともにカートリッジが移動したときに、カートリッジのシャッタと当接し、係合部がシャッタの溝と係合した状態で、前記ホルダの移動とともに、カートリッジのシャッタを開閉する、
ことを特徴とする。
【００１２】
上記目的を達成するため、本発明の第２の観点に係るディスク装置は、
記録媒体が格納されたカートリッジを着脱自在に収納するディスク装置であって、
開閉自在なシャッタを有するカートリッジを、挿入位置と再生位置との間で移動自在に保持し、傾斜部が形成されたリブを有するホルダと、
前記ホルダにより移動されるカートリッジの側面に当接する所定位置に配置され、カートリッジのシャッタに形成された溝と係合するための係合部を有する所定形状の弾性部材と、を備え、
前記ホルダは、挿入位置近傍に規定された特定区間にて、リブの傾斜部を前記弾性部材に摺接させて前記弾性部材を押圧し、前記傾斜部により押圧に伴う前記弾性部材の負荷を減少させてカートリッジと前記弾性部材とが当接しない間隔を確保し、
前記弾性部材は、特定区間を除いた挿入位置と再生位置との間を前記ホルダとともにカートリッジが移動したときに、カートリッジのシャッタと当接し、係合部がシャッタの溝と係合した状態で、前記ホルダの移動とともに、カートリッジのシャッタを開閉する、
ことを特徴とする。
【００１３】
ホルダは、カートリッジと接する一方の面にテーパ状のリブが形成され、弾性部材は、ホルダのリブと当接したとき、ホルダの移動とともにテーパ形状に沿って摺動することにより、徐々に変形しながらカートリッジとの間隔を変化させるようにしても良い。
【００１４】
上記目的を達成するため、本発明の第３の観点に係るディスク装置は、
記録媒体が格納され、開閉自在なシャッタを有するカートリッジを着脱自在に収納するディスク装置であって、
少なくとも底板、上板、背板及び、傾斜部が形成された一方の側板から形成され、挿入位置と再生位置との間でカートリッジを移動自在に保持するホルダと、
前記ホルダにより移動されるカートリッジの側面に当接する所定位置に配置され、カートリッジのシャッタに形成された溝と係合するための係合部を有する所定形状の弾性部材と、を備え、
前記ホルダは、挿入位置近傍に規定された特定区間にて、側板の傾斜部を前記弾性部材に摺接させて前記弾性部材を押圧し、前記傾斜部により押圧に伴う前記弾性部材の負荷を減少させてカートリッジと前記弾性部材とが当接しない間隔を確保し、
前記弾性部材は、特定区間を除いた挿入位置と再生位置との間を前記ホルダとともにカートリッジが移動したときに、カートリッジのシャッタと当接し、係合部がシャッタの溝と係合した状態で、前記ホルダの移動とともに、カートリッジのシャッタを開閉する、
ことを特徴とする。
【００１５】
ホルダは、側板がテーパ形状に形成され、弾性部材は、ホルダの側板と当接したとき、ホルダの移動とともにテーパ形状に沿って摺動することにより、徐々に変形しながらカートリッジとの間隔を変化させるようにしても良い。
【００１６】
【発明の実施の形態】
本発明の実施の形態にかかるディスク装置について、以下図面を参照して説明する。
【００１７】
（第１の実施の形態）
図１（ａ）は、本発明の第１の実施の形態に係るディスク装置の構成を示す透視斜視図である。図１（ｂ）は、ディスク装置にディスク５０を装着したときの透視上面図である。図１（ａ）及び図１（ｂ）に示すように、ディスク装置は、ディスクシャーシ１０と、ディスク５０を搬送するディスクホルダ２０と、ディスク５０のシャッタ部５３を開閉する、ディスクシャーシ１０の側部に配置されたバネ部３０と、ディスクシャーシ１０の底面に配置され、ディスク５０を再生／記録する再生／記録部４０とから構成される。
【００１８】
ディスクシャーシ１０は、図示しないディスク装置の筐体部に収容され、前面と背面とが開放された矩形状の箱状体である。ディスクシャーシ１０は、金属製であり、底面に再生／記録部４０が配置されている。さらに、図示はしないが、ディスクホルダ２０をスライド駆動するための駆動モータ、スライド中のディスクホルダ２０左右のぶれを防止する、例えばガイドレール等のスライド部材等も配置されている。
【００１９】
ディスクシャーシ１０は、本体部１１と、バネ部３０を側部に保持するための支持部材１２と、該支持部材１２にバネ部３０を固定する、例えばリベット等の固定具１３とを備える。支持部材１２は、図示しない固定手段により、本体部の上面に固定されている。また、支持部材１２は、ディスク５０のシャッタ部５３を開閉するために必要な付勢力を、バネ部３０に付与して取り付けるために十分な剛性を具備している。
【００２０】
ディスクホルダ２０は、前面と側面とが開放された矩形形状の箱状体である。所定の駆動手段により、ディスクシャーシ１０内でスライド駆動され、筐体部のスリットから挿入されたディスク５０を収容する。ディスクホルダ２０は、ディスク５０に収納されている記録媒体５２が、再生／記録部４０の所定位置にくるまで移動する（このときの位置をホームポジションとする）。所定位置まで移動してきたディスク５０は、所定の装着手段により、再生／記録部４０に装着される。
【００２１】
ディスクホルダ２０は、本体部２１とリブ部２２とから構成される。本体部２１は、底板と、上板と、背板とを備える。本体部２１は、図示しない、ディスク５０が挿入されたことを検知して、駆動手段に検知信号を送信するセンサ部と、挿入されたディスク５０を保持して、位置ずれ等を防止して再生／記録部４０まで搬送する、例えば係止爪等の位置固定手段とを有する。駆動手段は、センサ部からの検知信号に応答し、駆動モータを制御して、ディスクホルダ２０を移動させる。
【００２２】
リブ部２２は、本体部２１と一体に成形され、テーパ形状を有する。リブ部２２は、バネ部３０が当接して摺動するテーパ部端面２３ａと、スライド方向に平行な端面２３ｂとを有する。例えば、利用者の操作にしたがって、ディスクホルダ２０がホームポジションから、挿入されるディスク５０を収容するために、所定位置まで前進するとき、バネ部３０の爪３３は、まず、テーパ部端面２３ａに当接して摺動する。
【００２３】
バネ部３０の爪３３は、次いで端面２３ｂに当接して、摺動し、該端面２３ｂの後端で停止する。このとき、バネ部３０の本体部３１は、若干外側（図１（ａ）では右側）に変形し、係合部３２は、挿入されるディスク５０と接触しない位置にある。バネ部３０の本体部３１は、爪３３がテーパ部端面２３ａに当接して摺動するにつれて変形するが、リブ部２２のテーパ形状により、徐々に変形し、急激な変形を避けることができる。
【００２４】
バネ部３０は、ディスクシャーシ１０の側部に配置され、ディスク５０挿入時には、ディスク５０のシャッタ部５３を開放し、カートリッジ５１に収納されている記録媒体５２を露出させる。再生／記録部４０は、記録媒体５２の所定の露出場所にアクセスして、記録された情報信号の読取（再生）、または所定の情報信号の書込（記録）を実行する。また、バネ部３０は、ディスク５０排出時には、ディスク５０のシャッタ部５３を閉じ、記録媒体５２の損傷を防止し、カートリッジ５１内に塵埃が混入することを抑制する。
【００２５】
バネ部３０は、本体部３１と、シャッタ部５３の係合溝５４と係合する、半円状に形成された係合部３２と、前述したように、ディスクホルダ２０のリブ部２２に当接して摺動する爪３３とから構成される。本体部３１は、ディスクシャーシ１０の上部に固定された支持部材１２に、シャッタ部５３を開閉するために必要なスライド荷重を確保するために、内側（図１（ａ）では左側）に付勢して、固定具１３により取り付けられている。バネ部３０は、所定の弾性力を具備する金属製または合成樹脂製の板バネである。
【００２６】
ディスク５０を挿入する場合のバネ部３０の動作について説明する。前述したように、利用者の操作により、ディスクホルダ２０は、ホームポジションから所定位置まで前進する（図１（ｂ）では下方に）。このとき、バネ部３０の本体部３１は、若干外側（図１（ｂ）では右側）に変形し、係合部３２は、挿入されるディスク５０と接触しない位置にある。
【００２７】
ディスク５０が挿入されると、ディスクホルダ２０のセンサ部は、該ディスク５０を検出して、駆動手段により後退を開始する。ディスクホルダ２０の移動にともなって、バネ部の爪３３は、リブ部２２の端面２３ｂからテーパ部端面２３ａに当接して摺動する。このとき、バネ部３０の係合部３２は、まだディスク５０のカートリッジ５１側面とは接触しない。さらに、ディスクホルダ２０が後退すると、爪３３は、もはやリブ部２２と当接せず、自由な状態となる。このとき、シャッタ部５３の係合溝５４が、バネ部３０の係合部３２と係合可能な、所定の位置まで移動してくるので、係合部３２は、当該係合溝５４に係合する。
【００２８】
ディスクホルダ２０に収容されたディスク５０の移動にともなって、バネ部３０の係合部３２は、当該係合溝５４に係合した状態を維持して、本体部３１の付勢力により、シャッタ部５３に所定のスライド荷重を付加し、開放を開始する。ディスクホルダ２０がホームポジションまで後退すると、シャッタ部５３は、完全に開放される。図１（ｂ）に示すように、バネ部３０の係合部３２が、係合溝５４に係合した状態で、ディスク５０は移動を停止し、所定の装着手段により、再生／記録部４０に装着される。
【００２９】
次に、ディスク５０を排出する場合のバネ部３０の動作について説明する。前述したように、利用者の操作により、ディスクホルダ２０は、ホームポジションから所定位置まで前進する。ホームポジションでは、バネ部３０の係合部３２が、係合溝５４に係合している。ディスクホルダ２０に収容されたディスク５０の移動にともなって、バネ部３０の係合部３２は、当該係合溝５４に係合した状態を維持して、本体部３１の付勢力により、シャッタ部５３に所定のスライド荷重を付加し、閉鎖を開始する。
【００３０】
ディスクホルダ２０が所定位置までくると、シャッタ部５３は完全に閉じられる。このとき、ディスクホルダ２０のリブ部２２が、バネ部３０の係合部３２の近傍まで移動してきているので、シャッタ部５３の閉鎖が完了すると同時に、爪３３がリブ部２２のテーパ部端面２３ａに当接する。そのため、バネ部３０の係合部３２は、もはや係合溝５４に係合しない。したがって、バネ部３０の本体部３１は、カートリッジ５１から離れ、接触しない位置に移動する。
【００３１】
さらに、ディスクホルダ２０がディスク５０を排出するために、所定位置まで前進するにしたがって、バネ部３０の爪３３は、テーパ部端面２３ａに当接して摺動する。バネ部３０の爪３３は、次いで端面２３ｂに当接して、摺動し、該端面２３ｂの後端で停止する。このとき、バネ部３０の本体部３１は、適度に外側（図１（ｂ）では右側）に変形し、係合部３２は、ディスクホルダ２０がディスク５０を排出する動作に支障がない間隔を有する位置にある。
【００３２】
再生／記録部４０は、ディスク駆動ヘッド４１と、ディスク駆動ヘッド４１を回転駆動するスピンドルモータ４２と、信号ピックアップ部４３と、信号処理用フレキシブル基板４４と、再生／記録部４０を制御する回路基板４５とから構成される。
【００３３】
ディスク駆動ヘッド４１は、スピンドルモータ４２のシャフトと結合し、該スピンドルモータ４２の回転制御に応じて、装着されたディスク５０を所定の回転速度で回転する。ディスク駆動ヘッド４１は、図示しない複数個のボールチャックを有し、ディスク５０を、水平に装着可能とする。信号ピックアップ部４３は、光磁気的な手段により、ディスク５０の記録媒体５２に記録された情報信号を読み取る、及び／又は、ディスク５０の記録媒体５２に、所定の情報信号を記録する。
【００３４】
信号処理用フレキシブル基板４４は、信号ピックアップ部４３で、読み取った情報信号を増幅する増幅部と、トラッキングエラー等の誤りを訂正する誤り訂正処理やフィルタリング処理を含む変調部等を有し、読み取った信号を所定の内部処理用信号に変換して、回路基板４５に送信する。回路基板４５は、ＣＰＵ（Central Processing Unit）、複数のメモリ、ＤＳＰ（Digital Signal Processor）等から構成される。回路基板４５は、信号処理用フレキシブル基板４４から送られてくる信号を、例えば音声、映像等の出力データに変換する信号処理部、該信号に基づいて、信号ピックアップ部４３のトラッキング制御等を行うピックアップ制御部、スピンドルモータ４２に対して制御信号を送るモータ制御部等を備える。
【００３５】
ディスク５０は、例えば、ＭＤ、ＭＯ等のカートリッジに収納された情報記録媒体である。ディスク５０は、保護筐体であるカートリッジ５１と、所定の情報信号が記録された、あるいは情報信号を記録する記録媒体５２と、必要なときに開放し、カートリッジに収納された記録媒体５２を露出させ、それ以外は閉鎖して塵埃の侵入等を防止するシャッタ部５３と、シャッタ部５３側面に形成され、前述したバネ部３０の係合部３２と係合する係合溝５４と、シャッタ部５３が開放されたときに、内部の記録媒体５２を露出させるための開口部５５とから構成される。カートリッジ裏面には、記録媒体５２にディスク駆動ヘッド４１が嵌合できるように、図示しない開口部が形成されている。
【００３６】
次に、ディスク５０を再生する場合の、ディスク装置の各構成要素の動作について説明する。図２は、挿入されたディスク５０を所定位置まで搬送する場合の、各構成要素の動作を示すディスク装置の透視上面図である。また、図３は、各構成要素の動作のステップを示すフローチャートである。
【００３７】
利用者は、ディスクシャーシ１０を収容するディスク装置筐体の前面に配置された操作パネル（図示せず）のディスクホルダ２０用の「Open／Close」ボタンを操作し、ディスクホルダ２０が前進するように、スライド駆動手段の動作を開始させる（ステップＳ１０１）。ディスクホルダ２０は、前述のホームポジションから、図２（ａ）に示す位置まで前進する（ステップＳ１０２、図２（ａ）中では下方に移動する）。バネ部３０の爪３３は、ディスクホルダ２０の側部に形成されたリブ部２２の端面２３ｂに当接して停止する。バネ部３０の係合部３２は、若干外側（図２（ａ）中では右側）に変形し、挿入されるディスク５０のカートリッジ５１と接触しない位置にある。利用者は、筐体に形成されているスリットを介して、ディスクホルダ２０に、所望のディスク５０を挿入する（ステップＳ１０３）。
【００３８】
ディスクホルダ２０のセンサ部は、ディスク５０が挿入されたことを検出して、検出信号を駆動手段に送信する。駆動手段は、該検出信号に応答して、ディスクホルダ２０をスライドして後退させる。ディスクホルダ２０の後退につれて、バネ部３０の爪３３は、リブ部２２の端面２３ｂに当接して摺動し、次いで、テーパ部端面２３ａに当接して摺動する（ステップＳ１０４、図２（ｂ）参照）。
【００３９】
さらに、ディスクホルダ２０が後退し、挿入されたディスク５０のシャッタ部５３に形成された係合溝５４が、バネ部３０の係合部３２と係合可能な位置まで移動してくる。バネ部３０の爪３３は、テーパ部端面２３ａから離れ、取付状態から若干外側に変形していたバネ部３０の本体部３１は、元の取付状態に戻る。そのため、バネ部３０の係合部３２は、図３（ｃ）に示すように、移動してきたシャッタ部５３の係合溝５４に係合する（ステップＳ１０５）。
【００４０】
ディスクホルダ２０に収容されたディスク５０の移動にともなって、バネ部３０の係合部３２は、当該係合溝５４に係合した状態を維持して、本体部３１の付勢力により、シャッタ部５３に所定のスライド荷重を付加し、開放を開始する（ステップＳ１０６）。ディスクホルダ２０がホームポジションまで後退すると、シャッタ部５３は、完全に開放され、カートリッジ５１に収納された記録媒体５２が露出する（ステップＳ１０７、図２（ｄ）参照）。図２（ｄ）に示すように、バネ部３０係合部３２が、係合溝５４に係合した状態で、ディスク５０は移動を停止し、所定の装着手段により、カートリッジ５１裏面に形成された開口部を介して、記録媒体５２が再生／記録部４０のディスク駆動ヘッド４１に装着される（ステップＳ１０８）。
【００４１】
次いで、再生／記録部４０の回路基板４５のモータ制御部は、スピンドルモータ４２の回転を制御して、ディスク駆動ヘッド４１に固定されたディスク５０を回転させる（ステップＳ１０９）。また、回路基板４５のピックアップ制御部は、信号ピックアップ部４３に、記録媒体５２に記録されている情報信号のピックアップを開始させる。信号処理用フレキシブル基板４４は、信号ピックアップ部４３がピックアップする情報信号を所定の内部処理用信号に変換して、回路基板４５の信号処理部に送信する。信号処理部は、信号処理用フレキシブル基板４４から送られてくる信号を、音声、映像等の出力データに変換して、図示しない、音声出力部と画像出力部とに出力することを開始する（ステップＳ１１０）。
【００４２】
回路基板４５の信号処理部がディスク５０の再生を終了したことを検知して、または利用者による操作パネルの「Stop」ボタン操作に応答して、再生／記録部４０は、ディスク５０の再生を中止し、ディスク駆動ヘッド４１の回転を停止する（ステップＳ１１１）。次いで、所定の装着手段が、記録媒体５２をディスク駆動ヘッド４１から脱着する。
【００４３】
利用者は、「Open／Close」ボタンを操作し、ディスクホルダ２０が前進するように駆動手段の動作を開始させる（ステップＳ１１２）。ディスクホルダ２０は、ホームポジションから前進を開始する。ホームポジションでは、バネ部３０係合部３２が、ディスク５０の係合溝５４に係合している。ディスクホルダ２０に収容されたディスク５０の移動にともなって、バネ部３０の係合部３２は、当該係合溝５４に係合した状態を維持して、本体部３１の付勢力により、シャッタ部５３に所定のスライド荷重を付加し、閉鎖を開始する（ステップＳ１１３）。
【００４４】
ディスクホルダ２０が所定位置までくると、ディスク５０のシャッタ部５３は完全に閉じられる（ステップＳ１１４，図２（ｃ）参照）。このとき、ディスクホルダ２０のリブ部２２が、バネ部３０の係合部３２の近傍まで移動してきているので、シャッタ部５３の閉鎖が完了すると同時に、爪３３がリブ部２２のテーパ部端面２３ａに当接する（ステップＳ１１５）。そのため、バネ部３０の係合部３２は、もはや係合溝５４に係合しない。したがって、バネ部３０の本体部３１は、カートリッジ５１から離れ、接触しない位置に移動する。
【００４５】
さらに、ディスクホルダ２０がディスク５０を排出するために、所定位置まで前進するにしたがって、バネ部３０の爪３３は、テーパ部端面２３ａに当接して摺動する。バネ部３０の爪３３は、次いで端面２３ｂに当接して、摺動し（図２（ｂ）参照）、該端面２３ｂの後端で停止する（ステップＳ１１６、図２（ａ）参照）。このとき、バネ部３０の本体部３１は、適度に外側に変形し、係合部３２は、ディスクホルダ２０がディスク５０を排出する動作に支障がない間隔を有する位置にある。利用者は、ディスク装置筐体のスリットを介して、排出されたディスク５０を取り出す（ステップＳ１１７）。
【００４６】
以上説明したように、本発明の第１の実施の形態によれば、ディスク５０の挿入時には、図２（ａ）〜（ｃ）に至るまでの特定区間では、バネ部３０の爪３３が、ディスクホルダ２０のリブ部２２の端面２３ａ、２３ｂに当接して摺動する。したがって、バネ部３０の係合部３２が、シャッタ部５３の係合溝５４に係合して、シャッタ部５３の開閉を開始するまでは、バネ部３０の本体部３１は、ディスク５０のカートリッジ５１には接触しない。
【００４７】
同様に、ディスク５０の排出時においても、ディスク５０のシャッタ部５３の閉鎖動作を完了してから、ディスク５０が所定位置まで移動する間に、バネ部３０の爪３３は、ディスクホルダ２０のリブ部２２の端面２３ａ、２３ｂに当接して摺動する。したがって、バネ部３０の係合部３２が、シャッタ部５３の係合溝５４に係合しなくなると同時に、バネ部３０の本体部３１は、外側への変形を開始し、ディスク５０のカートリッジ５１には接触しない。
【００４８】
このため、バネ部３０の本体部３１とカートリッジ５１の側面との摺動に起因する異音の発生や、カートリッジのぶれ等の不都合を解消することができる。また、ディスクホルダ２０のリブ部２２には、テーパ部が形成されているので、バネ部３０の爪３３は、円滑にリブ部２２に当接して摺動する。したがって、バネ部３０の本体部３１に対して、急激な負荷がかかることを防止できる。
【００４９】
（第２の実施の形態）
図４（ａ）は、本発明の第２の実施の形態に係るディスク装置の構成を示す透視斜視図である。図４（ｂ）は、ディスク装置にディスク５０を装着したときの透視上面図である。図４（ａ）及び図４（ｂ）に示すように、ディスク装置は、ディスクシャーシ１０と、ディスク５０を搬送するディスクホルダ６０と、ディスク５０のシャッタ部５３を開閉する、ディスクシャーシ１０の側部に配置されたバネ部７０と、ディスクシャーシ１０の底面に配置され、ディスク５０を再生／記録する再生／記録部４０とから構成される。
【００５０】
ディスクシャーシ１０と、再生／記録部４０とは、第１の実施の形態で説明した構成と同一である。
【００５１】（ディスクホルダ）
ディスクホルダ６０は、前面と側面と上面とが開放された矩形形状のトレイである。所定の駆動手段により、ディスクシャーシ１０内でスライド駆動され、筐体部のスリットから挿入されたディスク５０を収容する。ディスクホルダ６０は、ディスク５０に収納されている記録媒体５２が、再生／記録部４０の所定位置にくるまで移動する（このときの位置をホームポジションとする）。所定位置まで移動してきたディスク５０は、所定の装着手段により、再生／記録部４０に装着される。
【００５２】
ディスクホルダ６０は、トレイ部６１と、テーパ形状を有する側板６２と、背板６３とから構成される。ディスクホルダ６０は、側板２２がバネ部７０の係合部７２と摺動するので、例えば潤滑性樹脂等、バネ部７０を構成する部材との良好な摺動性を確保できる材料から構成することが望ましい。トレイ部６１は、図示しない、ディスク５０が挿入されたことを検知して、駆動手段に検知信号を送信するセンサ部と、挿入されたディスク５０を保持して、位置ずれ等を防止して再生／記録部４０まで搬送する、例えば係止爪等の位置固定手段とを有する。駆動手段は、センサ部からの検知信号に応答し、駆動モータを制御して、ディスクホルダ６０を移動させる。
【００５３】
例えば、利用者の操作にしたがって、ディスクホルダ６０がホームポジションから、所定位置まで前進するとき、バネ部７０の係合部７２は、側板６２に当接して摺動し、側板６２の端部で停止する。このとき、バネ部７０の本体部７１は、若干外側（図４（ａ）では右側）に変形し、半円状に形成された係合部７２は、挿入されるディスク５０と接触しない位置にある。側板６２のテーパ形状により、係合部３２は、側板６２に円滑に当接することができる。
【００５４】
バネ部７０は、第１の実施の形態で説明したように、ディスクシャーシ１０の側部に配置されている。バネ部７０は、本体部７１と、シャッタ部５３の係合溝５４と係合する、半円状に形成された係合部７２とから構成される。本体部７１は、ディスクシャーシ１０の上部に固定された支持部材１２に、シャッタ部５３を開閉するために必要なスライド荷重を確保するために、内側（図４（ａ）では左側）に付勢して、固定具１３により取り付けられている。バネ部７０は、所定の弾性力を具備する金属製または合成樹脂製の板バネである。
【００５５】
ディスク５０を再生する場合の、ディスク装置の各構成要素の動作は、第１の実施の形態で説明したものと、ほぼ同一である。バネ部７０とディスクホルダ６０とが当接する部位が異なる。そこで、以下にディスク５０挿入時とディスク５０排出時とにおける、バネ部７０とディスクホルダ６０との動作について説明する。図５は、挿入されたディスク５０を所定位置まで搬送する場合の、バネ部７０とディスクホルダ６０との動作を示すディスク装置の透視上面図である。
【００５６】
まず、ディスク５０を挿入する場合の動作について説明する。利用者の操作により、ディスクホルダ６０は、ホームポジションから所定位置まで前進する。このとき、バネ部３０の本体部３１は、若干外側（図５（ａ）では右側）に変形し、挿入されるディスク５０と接触しない位置にある。
【００５７】
ディスク５０が挿入されると、ディスクホルダ６０のセンサ部は、該ディスク５０を検出して、駆動手段により後退を開始する。ディスクホルダ６０の移動にともなって、バネ部７０の係合部７２は、側板２２に当接して摺動する。このとき、バネ部３０の本体部３１は、ディスク５０のカートリッジ５１側面とは接触しない。さらに、ディスクホルダ２０が後退すると、係合部７２は、もはや側板６２と当接せず、自由な状態となる。このとき、シャッタ部５３の係合溝５４が、バネ部７０の係合部７２と係合可能な、所定の位置まで移動してくるので、係合部７２は、当該係合溝５４に係合する（図５（ｂ）参照）。
【００５８】
ディスクホルダ６０に収容されたディスク５０の移動にともなって、バネ部７０の係合部７２は、当該係合溝５４に係合した状態を維持して、本体部７１の付勢力により、シャッタ部５３に所定のスライド荷重を付加し、開放を開始する。ディスクホルダ６０がホームポジションまで後退すると、シャッタ部５３は、完全に開放される。図５（ｃ）に示すように、バネ部７０の係合部７２が、係合溝５４に係合した状態で、ディスク５０は移動を停止し、所定の装着手段により、再生／記録部４０に装着される。
【００５９】
次に、ディスク５０を排出する場合の動作について説明する。前述したように、利用者の操作により、ディスクホルダ６０は、ホームポジションから所定位置まで前進する。ホームポジションでは、バネ部７０の係合部７２が、係合溝５４に係合している。ディスクホルダ６０に収容されたディスク５０の移動にともなって、バネ部７０の係合部７２は、当該係合溝５４に係合した状態を維持して、本体部７１の付勢力により、シャッタ部５３に所定のスライド荷重を付加し、閉鎖を開始する。
【００６０】
ディスクホルダ６０が所定位置までくると、シャッタ部５３は完全に閉じられる（図５（ｂ）参照）。このとき、ディスクホルダ６０の側板６２が、バネ部７０の係合部７２の近傍まで移動してきているので、シャッタ部５３の閉鎖が完了するとすぐに、係合部７２が側板６２に当接する。そのため、バネ部７０の本体部７１は、カートリッジ５１から離れ、接触しない位置に移動する。
【００６１】
さらに、ディスクホルダ６０がディスク５０を排出するために、所定位置まで前進するにしたがって、バネ部７０の係合部７２は、側板６２に当接して摺動し、該側板６２の後端で停止する（図５（ａ）参照）。このとき、バネ部７０の本体部７１は、適度に外側（図５（ａ）では右側）に変形し、本体部７１は、ディスクホルダ６０がディスク５０を排出する動作に支障がない間隔を有する位置にある。
【００６２】
以上説明したように、本発明の第２の実施の形態によれば、ディスク５０の挿入時には、図５（ａ）〜（ｂ）に至るまでの特定区間では、バネ部７０の係合部７２が、ディスクホルダ６０の側板６２に当接して摺動する。したがって、バネ部７０の係合部７２が、シャッタ部５３の係合溝５４に係合して、シャッタ部５３の開閉を開始するまでは、バネ部７０の本体部７１は、ディスク５０のカートリッジ５１には接触しない。
【００６３】
同様に、ディスク５０の排出時においても、ディスク５０のシャッタ部５３の閉鎖動作を完了してから、ディスク５０が所定位置まで移動する間に、バネ部７０の係合部７２は、ディスクホルダ６０の側板６２に当接して摺動する。したがって、バネ部７０の係合部７２が、シャッタ部５３の係合溝５４に係合しなくなると同時に、バネ部７０の本体部７１は、外側への変形を開始し、ディスク５０のカートリッジ５１には接触しない。
【００６４】
このため、簡単な構造の板バネであるバネ部７０を使用して、本体部７１とカートリッジ５１の側面との摺動に起因する異音の発生や、カートリッジのぶれ等の不都合を解消することができる。また、ディスクホルダ６０の側板部６２には、テーパ部が形成されているので、バネ部７０の係合部７２は、円滑に側板６２に当接して摺動する。したがって、バネ部７０の本体部７１は、変形に伴う最小限の負荷しか受けないので、疲労特性が向上し、長寿命化が期待できる。
【００６５】
本発明は、上記の実施の形態に限定されず、その変形及び応用等は任意である。
例えば、バネ部３０、７０は、半円状に形成された係合部３２、７２を有すると説明したが、使用するディスク５０のシャッタ部５３に形成された係合溝５４に係合可能な形状であれば、任意である。第２の実施の形態においては、係合部２は、ディスクホルダ６０の側板６２に当接して摺動するので、円滑な動作を確実にするために、その外形状は、滑らかな曲線から構成されることが望ましい。
【００６６】
上記実施の形態では、ディスク装置は、ディスクホルダ２０、６０により、水平に挿入されたディスク５０を受け入れ、その状態で、再生／記録部４０まで搬送し、所定の装着手段により、ディスク５０の記録媒体５２をディスク駆動ヘッドに装着すると説明した。しかし、ディスク装置は、上述した横置きタイプではなく、縦置きタイプであっても良い。縦置きタイプのディスク装置では、上記実施の形態で説明した構成要素の構造と相対的な位置関係とを維持したままで、装置全体を９０度回転させた配置であれば良い。ただし、ディスク５０を縦入れするために、ディスクホルダ２０、６０は、縦置きした場合に、底板となる部材を具備する構造とする必要がある。
【００６７】
上記実施の形態では、ディスクホルダ２０、６０は、例えば係止爪等の、ディスク５０の位置を固定するための保持手段を有すると説明した。しかし、この保持手段の構成は任意であり、例えば、圧着ロールのように、ディスクホルダ２０、６０とは、別体として配置しても良い。
【００６８】
上記実施の形態では、ディスク装置は、カートリッジ５１に収納された記録媒体５２を再生／記録する装置として説明したが、記録媒体５２を直接取り扱うことも可能である。例えば、ディスク装置は、ＣＤ、ＭＤ、ＤＶＤ等のカートリッジ５１及び記録媒体５２の大きさに応じた、保持手段と装着手段とを具備し、カートリッジに収納されていない記録媒体５２を再生／記録するために、バネ部３０、７０は、搬送中に該記録媒体５２に接触しないように、退避可能な構造であれば良い。
【００６９】
【発明の効果】
本発明によれば、簡単な構造で、カートリッジに収納された記録媒体を円滑に挿脱するディスク装置を提供することができる。
【図面の簡単な説明】
【図１】本発明の第１の実施の形態に係るディスク装置の概略を示す図であって、（ａ）が透視斜視図であり、（ｂ）が透視上面図である。
【図２】本発明の第１の実施の形態に係るディスク装置の各構成要素の動作を示す透視上面図である。
【図３】本発明の第１の実施の形態に係るディスク装置の各構成要素の動作の流れを示すフローチャートである。
【図４】本発明の第２の実施の形態に係るディスク装置の概略を示す図であって、（ａ）が透視斜視図であり、（ｂ）が透視上面図である。
【図５】本発明の第２の実施の形態に係るディスク装置の各構成要素の動作を示す透視上面図である。
【図６】従来の、記録媒体を収納するカートリッジのシャッタ開閉機構を具備するディスク装置の概略を示す図である。
【図７】従来の、記録媒体を収納するカートリッジのシャッタ開閉機構の例を示す図である。
【符号の説明】
１０  ディスクシャーシ
１１  本体部
１２  支持部材
１３  固定具
２０  ディスクホルダ
２１  本体部
２２  リブ部
２３  リブ部端面
３０  バネ部
３１  本体部
３２  係合部
３３  爪
４０  再生／記録部
４１  ディスク駆動ヘッド
４２  スピンドルモータ
４３  信号ピックアップ部
４４  信号処理用フレキシブル基板
４５  回路基板
５０  ディスク
５１  カートリッジ
５２  記録媒体
５３  シャッタ部
５４  係合溝
５５  開口部
６０  ディスクホルダ
６１  トレイ部
６２  側板
６３  背板
７０  バネ部
７１  本体部
７２  係合部
【図１】
0003762684.tif 000002
【図２】
0003762684.tif 000003
【図３】
0003762684.tif 000004
【図４】
0003762684.tif 000005
【図５】
0003762684.tif 000006
【図６】
0003762684.tif 000007
【図７】
0003762684.tif 000008